(57)【要約】【課題】  包装箱において、蓋板と差込板の連設部のロック用切込みを、折曲板のロック用突起とのロックから容易に外すこと。【解決手段】  前板１１に蓋板１５及び差込板１６を順に連設し、蓋板１５と差込板１６が連設する辺の両端側にロック用切込み３１を設け、両側板１２の上辺に折曲板１７を連設し、各折曲板１７の後板１３に接する部分であって各側板１２の上辺に連設する基端側に、上記ロック用切込み３１に係入するロック用突起３２を設けてなる包装箱１０であって、差込板１６の蓋板１５に連設する辺の両端部にストッパ用突起４１を設け、各折曲板１７の後板１３に接する部分であって各側板１２の上辺に連設し、上記ロック用突起３２に隣接する基端部に、上記ストッパ用突起４１が納まるストッパ用切欠４２を設けてなるもの。【選択図】  図３
2010155645.tif 000002
【特許請求の範囲】
【請求項１】
前板、両側板、後板、蓋板、及び底板により箱体を形成し、
前板に蓋板及び差込板を順に連設し、蓋板と差込板が連設する辺の両端側にロック用切込みを設け、
両側板の上辺に折曲板を連設し、各折曲板の後板に相対する部分であって各側板の上辺に連設する基端側に、上記ロック用切込みに係入するロック用突起を後板に向けて突出するように設けてなる包装箱であって、
差込板の蓋板に連設する辺の両端部にストッパ用突起を設け、
各折曲板の後板に相対する部分であって各側板の上辺と上記ロック用突起との間の基端部に、上記ストッパ用突起が納まるストッパ用切欠を設けた包装箱。
【請求項２】
前記蓋板の両側辺に指掛部を突設した請求項１に記載の包装箱。
【発明の詳細な説明】
【技術分野】
【０００１】
本発明は、化粧品、医薬品等の各種物品を収納して販売に供するための、包装箱に関する。
【背景技術】
【０００２】
包装箱として、特許文献１に記載のものがある。この包装箱は、図６に示す如く、前板１に蓋板２及び差込板３を順に連設し、蓋板２と差込板３が連設する辺の両端部にロック用切込み７を設け、両側板４、４の上辺に折曲板５を連設し、各折曲板５の後板６に相対する部分であって各側板４の上辺に連設する基端部に、上記各ロック用切込み７に係入するロック用突起８を設けたものである。
【０００３】
蓋板２を閉じるときには、図７（Ａ）に示す蓋板２に連設された差込板３を、後板６と各折曲板５の隙間に差し込めば、各折曲板５のロック用突起８が弾性的に変形し、図７（Ｂ）に示す如く、蓋板２と差込板３の連設部の各ロック用切込み７に係入してロックを行なう。差込板３において各ロック用切込み７を形成している切込み形成エッジ３Ａが、図７（Ｂ）に示す如く、各折曲板５におけるロック用突起８の下側に入り込むものになる。
【０００４】
蓋板２を開封するときには、蓋板２の両側辺に突設してある指掛部２Ａを指で挟んで上に引き上げれば、差込板３の各切込み形成エッジ３Ａが各折曲板５のロック用突起８を弾性的に持ち上げて該ロック用突起８とのロックを容易に外せる。
【特許文献１】特開2008-132421
【発明の開示】
【発明が解決しようとする課題】
【０００５】
前述の包装箱において、蓋板２が繰り返し開閉されると、差込板３の各切込み形成エッジ３Ａがゆがんで、図７（Ｃ）に示す如く、各折曲板５におけるロック用突起８の下側の奥深くに入るおそれがある。この場合、蓋板２を開封しようとしても、差込板３の各切込み形成エッジ３Ａが各折曲板５の下側においてロック用突起８よりも奥深くに入り込み、各折曲板５のロック用突起８だけでなく、折曲板５そのものを持ち上げる必要を生じ、ひいては差込板３の各切込み形成エッジ３Ａと各折曲板５のロック用突起８とのロックを容易には外せなくなる。
【０００６】
本発明の課題は、包装箱において、蓋板と差込板の連設部のロック用切込みを、折曲板のロック用突起とのロックから容易に外すことにある。
【課題を解決するための手段】
【０００７】
請求項１の発明は、前板、両側板、後板、蓋板、及び底板により箱体を形成し、前板に蓋板及び差込板を順に連設し、蓋板と差込板が連設する辺の両端側にロック用切込みを設け、両側板の上辺に折曲板を連設し、各折曲板の後板に相対する部分であって各側板の上辺に連設する基端側に、上記ロック用切込みに係入するロック用突起を後板に向けて突出するように設けてなる包装箱であって、差込板の蓋板に連設する辺の両端部にストッパ用突起を設け、各折曲板の後板に相対する部分であって各側板の上辺と、上記ロック用突起との間に、上記ストッパ用突起が納まるストッパ用切欠を設けたものである。
【発明を実施するための最良の形態】
【０００８】
図１〜図３に示した包装箱１０は、化粧品、医薬品等を収納して販売に供するものであり、図４に示すブランクＡから折り曲げ等されて組立て製作される。尚、本明細書で、前後左右上下とは、包装箱１０の底部を水平面上に置いた状態で視て、蓋板１５が連設する側を正面とし、その正面側を前、背面側を後、左側を左、右側を右、上方側を上、下方側を下という。
【０００９】
図４に示した、ブランクＡは、合成樹脂シート等を打ち抜いて形成したものであり、矩形状の前板１１の左辺及び右辺には、それぞれ左右両側の矩形状の側板１２、１２が折り線ａ、ｂを介して連設され、前板１１の上辺には、蓋板１５とそれに連設した差込板１６が折り線ｃを介して連設されている。
【００１０】
左側板１２と右側板１２には、それらの上辺にそれぞれ外方向に広がる略矩形状の折曲板１７、１７が折り線ｄ、ｅを介して連設されている。また、左側板１２と右側板１２の下辺には、それぞれ外方向に広がる略矩形状の折曲片１８、１８が折り線ｆ、ｇを介して連設されている。
【００１１】
左側板１２には、後板１３が折り線ｈを介して連設されている。後板１３の下辺には、底板１４とそれに連設した差込板２１が折り線ｉを介して連設され、後板１３の右辺には、接合板２２が折り線ｊを介して連設されている。また、後板１３の上辺には、吊下げ穴が穿設され得る吊下げ板２３を罫線ｋを介して連設されており、店頭で吊り下げ状態で使用できる。
【００１２】
蓋板１５の両側辺には指掛部２４、２４を突設する。こうすることにより、差込板１６と後板１３の間に指を差し込まなくても指掛部２４、２４を上に引き上げることで容易に蓋を開封することができる。
【００１３】
指掛部２４、２４の突設位置は、蓋板１５の両側辺であれば特に制限はないが、開蓋を容易ならしめる点から、差込板１６の連設辺近傍に設けることが好ましい。
【００１４】
ブランクＡの材質は特に限定されず、合成樹脂シート、板紙、合成紙、合成樹脂シートと板紙、合成紙等からなる積層材等を用いることができ、これらの板材を裁断してブランクＡが形成される。これらの板材の中でも、透明な合成樹脂シートを用いてブランクＡを形成すれば、その商品の優れた外観、模様、色彩等が陳列時に視認できるため、化粧品、化粧下地剤等の販売には特に好適である。合成樹脂シートの素材は特に限定されないが、ポリプロピレン（ＰＰ）、ポリエチレンテレフタレート（ＰＥＴ）、ポリ塩化ビニル（ＰＶＣ）等が好ましい。
【００１５】
ブランクＡの厚さはその材質等により異なるが、取り扱い易さと強度を考慮して適宜決定することができる。例えば、合成樹脂シートの場合は、好ましくは0.1〜0.5mm、より好ましくは0.2〜0.4mmであり、板紙の場合は、好ましくは0.3〜1mmである。
【００１６】
ブランクＡを折り曲げて包装箱を形成する際の折り線ａ〜ｋは、折り曲げ易さと強度の観点から、好ましくはブランクＡの厚さの40〜80％の深さ、好ましくは50〜70％の深さの切込み溝を入れるか、又は紙板の場合はエンボス加工により形成することが望ましい。
【００１７】
図４のブランクＡを組み立てて図１に示す包装箱１０を形成するには、ブランクＡを各折り線ａ、ｂ、ｈ、及びｊで内側にほぼ直角に折り曲げて筒状の胴部を形成し、残余の各折り線で内側にほぼ直角に折り曲げて折曲片１７、１７、底部、蓋部、差込板１６を形成する。そして、後板１３に連設された接合片２２を右側板１２に重ねるようにして、その一部又は全部を、接着剤、接着テープ、熱融着等による公知の接合手段により接合する。ブランクＡが組み立てられた包装箱１０は、蓋板１５とそれに連設した差込板１６が、前板１１の上辺に連設され、前板１１の上辺を支軸として後板１３の上辺に向かって回動し、開閉する。
【００１８】
しかるに、包装箱１０は、蓋板１５と差込板１６が連設する辺ｌの両端側（両端側とは辺ｌの両端部に近接する辺ｌの内側部分をいう）にロック用切込み３１を設けている。ロック用切込み３１は辺ｌに平行に設けられる。そして、両側板１２、１２の上辺に連設されている折曲板１７の後板１３に相対する部分（包装箱１０の組立て状態で後板１３に相対する辺ｍ）であって、各側板１２、１２の上辺ｄ、ｅに連設する基端側（基端側とは辺ｄ、ｅの端部に近接する辺ｄ、ｅの内側部分をいう）に、ロック用切込み３１に係入するロック用突起３２を、後述するストッパ用切欠４２を両側板１２の上辺との間に介して設けている。ロック用突起３２は折曲板１７の後板１３に相対する部分（辺ｍ）から後板１３に向けて外方に突設される。
【００１９】
包装箱１０の組立て時に、両側の折曲板１７、１７を図１に示す如くに箱内に折り込み、蓋板１５を図１から図２を経て図３に示す如くに閉じるとき、蓋板１５に連設された差込板１６を、後板１３と各折曲板１７の隙間に差し込めば、各折曲板１７のロック用突起３２が弾性的に変形し、蓋板１５と差込板１６の連設部の各ロック用切込み３１に係入してロックを行なう。差込板１６の両端側において各ロック用切込み３１を形成する各切込み形成エッジ３１Ａが、各折曲板１７におけるロック用突起３２の下側に入り込んで外れ阻止するものになる。
【００２０】
差込板１６の蓋板１５に連設する辺ｌの両端部に各ストッパ用突起４１を設けている。各ストッパ用突起４１は、差込板１６の両端側の各切込み形成部３１Ａに近接する両端部に設けられ、差込板１６と蓋板１５とを繋ぐ辺ｌよりも差込板１６から蓋板１５の側すなわち外方に向かってその先端は突出している。そして、各折曲板１７の後板１３に接する部分（包装箱１０の組立て状態で後板１３に相対する辺ｍ）であって、各側板１２、１２の上辺ｄ、ｅに連設し、上記ロック用突起３２に隣接する基端部に、上記ストッパ用突起４１が納まるストッパ用切欠４２を設けている。本実施形態では、ストッパ用切欠４２を、その縁の奥部である切欠形成エッジ４２Ａが辺ｍに平行になるように設けた。
【００２１】
包装箱１０の組立て状態で、各折曲板１７のロック用突起３２が、蓋板１５と差込板１６の連設部の各ロック用切込み３１に係入してロックしたとき、差込板１６の蓋板１５との連設部の両端部に設けた各ストッパ用突起４１が各折曲板１７のストッパ用切欠４２に納まり、差込板１６のこのストッパ用突起４１が各折曲板１７においてロック用突起３２に隣接しているストッパ用切欠４２を形成する切欠形成エッジ４２Ａの側傍に屹立する。
【００２２】
従って、本実施例の包装箱１０によれば以下の作用効果を奏する。
(a)蓋板１５を閉じるとき、図５（Ａ）に示す蓋板１５に連設された差込板１６を、後板１３と各折曲板１７の隙間に差し込めば、各折曲板１７のロック用突起３２が弾性的に変形し、図５（Ｂ）に示す如く、蓋板１５と差込板１６の連設部の各ロック用切込み３１に係入してロックを行なう。差込板１６の両端側において各ロック用切込み３１を形成する各切込み形成エッジ３１Ａが、図５（Ｂ）に示す如く、各折曲板１７におけるロック用突起３２の下側に入り込んで外れ阻止するものになる。
【００２３】
(b)蓋板１５を開くとき、蓋板１５を指で上に引き上げれば、差込板１６の各切込み形成エッジ３１Ａが各折曲板１７のロック用突起３２を下から弾性的に持ち上げて該ロック用突起３２とのロックを容易に外す。
【００２４】
(c)上述(a)で、各折曲板１７のロック用突起３２が蓋板１５と差込板１６の連設部の各ロック用切込み３１に係入してロックしたとき、差込板１６の蓋板１５との連設部の両端部に設けた各ストッパ用突起４１が各折曲板１７のストッパ用切欠４２に納まり、差込板１６のこのストッパ用突起４１が各折曲板１７においてロック用突起３２に隣接しているストッパ用切欠４２を形成する切欠形成エッジ４２Ａの側傍に屹立する。従って、蓋板１５が上述(a)、(b)により繰り返し開閉され、差込板１６の両端側の切込み形成エッジ３１Ａがゆがんでも、この差込板１６の両端部のストッパ用突起４１が図５（Ｃ）に示す如くに各折曲板１７の両端部のストッパ用切欠４２の内部で、この切欠形成エッジ４２Ａに衝接することにより、この差込板１６の切込み形成エッジ３１Ａが各折曲板１７におけるロック用突起３２の奥深くに入ることがない。この場合、蓋板１５を開封しようとするとき、差込板１６の両端側の切込み形成エッジ３１Ａが各折曲板１７の下側において該折曲板１７の両端側のロック用突起３２よりも奥深くに入り込むことが防止される。これにより、蓋板１５を引き上げれば、差込板１６の両端側の切込み形成エッジ３１Ａがいつでも各折曲板１７の両端側のロック用突起３２だけを直ちに押し上げ、折曲板１７そのものを持ち上げる必要がないから、差込板１６の両端側のロック用切込み３１と各折曲板１７のロック用突起３２とのロックを確実に外すことができる。
【００２５】
(d)蓋板１５の両側辺に指掛部２４を突設した。これにより、蓋板１５を開封するとき、蓋板１５の両側の指掛部２４を指で挟んで上に持ち上げれば、差込板１６の各切込み形成エッジ３１Ａが各折曲板１７のロック用突起３２を弾性的に持ち上げて該ロック用突起３２とのロックを容易に外すことができる。
【図面の簡単な説明】
【００２６】
【図１】図１は包装箱の蓋板を開いた状態を示す斜視図である。
【図２】図２は包装箱の蓋板の開閉過程を示す斜視図である。
【図３】図３は包装箱の蓋板を閉じた状態を示す平面図である。
【図４】図４は包装箱の展開状態を示す平面図である。
【図５】図５はロック用切込みとロック用突起、並びにストッパ用突起とストッパ用切欠の作用を示す模式図である。
【図６】図６は従来の包装箱を示す斜視図である。
【図７】図７はロック用切込みとロック用突起の作用を示す模式図である。
【符号の説明】
【００２７】
１０  包装箱
１１  前板
１２  側板
１３  後板
１４  底板
１５  蓋板
１６  差込板
１７  折曲板
２４  指掛部
３１  ロック用切込み
３２  ロック用突起
４１  ストッパ用突起
４２  ストッパ用切欠
【図１】
2010155645.tif 000003
【図２】
2010155645.tif 000004
【図３】
2010155645.tif 000005
【図４】
2010155645.tif 000006
【図５】
2010155645.tif 000007
【図６】
2010155645.tif 000008
【図７】
2010155645.tif 000009